(57)【要約】【課題】ディスクの種別判定が、従来に比べて格段に早く得られるようにし、識別優先準位を設定できるようにした情報再生装置と再生方法を提供する。【解決手段】波長が異なる第１又は第２の光源からのレーザ光を選択的に使用できる光学ヘッド装置１０１と、前記第１の光源を用いた状態でフォーカスエラー信号が所定の閾値を超えたか否かを判定するフォーカスエラー信号閾値判定部１２１ａと、前記フォーカスエラー信号が所定の閾値を超えたときに、トラッキングエラー信号が所定の閾値を超えたか否かを判定するトラッキングエラー信号閾値判定部１２１ｂと、前記トラッキングエラー信号が所定の閾値を超えているときは、前記第１の光源が適合するディスクである表示情報を出力し、超えていないときは、第２の光源が適合するディスクであることの表示情報を出力する通知処理部１２１ｃを有する。【選択図】図１
2007172681.tif 000002
【特許請求の範囲】
【請求項１】
波長が異なる少なくとも第１と第２のレーザ光源、前記第１又は第２の光源からのレーザ光をディスクに照射する対物レンズを含みかつ前記光ディスクからの反射光をフォトディテクタ回路に導く光学系と、前記対物レンズを光軸方向へ調整してフォーカス制御を行うためのフォーカスアクチュエータを含む光学ヘッド装置と、
前記第１の光源を用いた状態で前記フォトディテクタ回路から出力されるフォーカスエラー信号が所定の閾値を超えたか否かを判定するフォーカスエラー信号閾値判定部と、
前記フォーカスエラー信号が所定の閾値を超えたときに、前記フォトディテクタ回路から出力されるトラッキングエラー信号が所定の閾値を超えたか否かを判定するトラッキングエラー信号閾値判定部と、
前記トラッキングエラー信号が所定の閾値を超えているときは、前記第１の光源に適合するディスクであることの表示情報を出力し、超えていないときは、第２の光源に適合するディスクであることの表示情報を出力する通知処理部と、
を有したことを特徴とする情報再生装置。
【請求項２】
前記第１のレーザ光源は、ＤＶＤに適合するものであり、波長６５０ｎｍであり、前記第２のレーザ光源は、ＨＤ  ＤＶＤに適合するものであり、波長４０５ｎｍであることを特徴とする請求項１記載の情報再生装置。
【請求項３】
前記通知処理部は、表示データを予め格納しているオンスクリーンディスプレイデータメモリの出力データを指定することを特徴とする請求項１記載の情報再生装置。
【請求項４】
初期設定として、前記第１のレーザ光源と第２のレーザ光源を、ＤＶＤに適合する波長６５０ｎｍ、又はＨＤ  ＤＶＤに適合する波長４０５ｎｍのいずれかに任意に切り換えることができる初期設定部を有したことを特徴とする請求項１記載の情報再生装置。
【請求項５】
前記光学ヘッド装置はさらにＣＤに適合する波長７８５ｎｍの第３のレーザ光源を有し、前記第１又は第２の光源使用時にトラッキングエラー信号が所定の閾値を超えなかったとき、前記第３のレーザ光源の使用状態に切り替える光源切り換え部が設けられていることを特徴とする請求項１記載の情報再生装置。
【請求項６】
前記光学ヘッド装置はさらにＣＤに適合する波長７８５ｎｍの第３のレーザ光源を有し、前記第１又は第２の光源使用時にトラッキングエラー信号が所定の第１の閾値を超えなかったとき、前記第３のレーザ光源の使用状態に切り替え、またこの第３の光源使用時にトラッキングエラー信号が所定の第２の閾値を超えなかったとき、前記波長４０５ｎｍの第２の光源であってＮＡ＝０．８５に設定する光源切り換え部が設けられていることを特徴とする請求項１記載の情報再生装置。
【請求項７】
波長が異なる少なくとも第１と第２のレーザ光源、前記第１又は第２の光源からのレーザ光をディスクに照射する対物レンズを含みかつ前記光ディスクからの反射光をフォトディテクタ回路に導く光学系と、前記対物レンズを光軸方向へ調整してフォーカス制御を行うためのフォーカスアクチュエータを含む光学ヘッド装置と、前記光学ヘッド装置から出力された情報を処理する信号処理部と、前記光学ヘッド装置から出力された情報を用いる制御部とを有した情報再生方法において、
前記第１の光源を用いた状態で前記フォトディテクタ回路から出力されるフォーカスエラー信号が所定の閾値を超えたか否かを判定し、
前記フォーカスエラー信号が所定の閾値を超えたときに、前記フォトディテクタ回路から出力されるトラッキングエラー信号が所定の閾値を超えたか否かを判定し、
前記トラッキングエラー信号が所定の閾値を超えているときは、前記第１の光源に適合するディスクであることの表示情報を出力し、超えていないときは、第２の光源に適合するディスクであることの表示情報を出力する
ことを特徴とする情報再生方法。
【請求項８】
前記第１のレーザ光源と第２のレーザ光源を、ＤＶＤに適合する波長６５０ｎｍ、又はＨＤ  ＤＶＤに適合する波長４０５ｎｍのいずれかに任意に切り換え可能としたことを特徴とする請求項７記載の情報再生方法。
【請求項９】
前記光学ヘッド装置はさらにＣＤに適合する波長７８５ｎｍの第３のレーザ光源を有し、
前記第１又は第２の光源使用時にトラッキングエラー信号が所定の閾値を超えなかったとき、前記第３のレーザ光源の使用状態に切り替えることを特徴とする請求項７記載の情報再生方法。
【請求項１０】
前記光学ヘッド装置はさらにＣＤに適合する波長７８５ｎｍの第３のレーザ光源を有し、前記第１又は第２の光源使用時にトラッキングエラー信号が所定の第１の閾値を超えなかったとき、前記第３のレーザ光源の使用状態に切り替え、またこの第３の光源使用時にトラッキングエラー信号が所定の第２の閾値を超えなかったとき、前記波長４０５ｎｍの第２の光源であってＮＡ＝０．８５に設定することを特徴とする請求項７記載の情報再生方法。
【発明の詳細な説明】
【技術分野】
【０００１】
この発明は、例えばDigital Versatile Disk (DVD), High Definition DVD (HD DVD), High Density DVD (HD DVD)などの記録情報を再生する情報再生装置と再生方法に関するもので、特にディスクの種類を早めに識別して通知することができるように改善されたものである。
【背景技術】
【０００２】
近年、ＤＶＤ及びその再生装置が普及し、また、高密度記録、高画質記録を行うことができるＨＤ  ＤＶＤも開発されている。このように、規格が異なる光ディスクが開発されると、再生装置としても、１台で各種のディスクに対応できるものが要望されている。このような再生装置として特許文献１に開示されたものがある。
【０００３】
この再生装置は、複数種のディスクに対応することができ、いずれのディスクが装填されても再生を行うことができる。この再生装置では、装填されるディスクの規格が異なる場合もあるために、ディスクの種別を判別する機能が設けられている。
【０００４】
ディスクの識別は、トップオブコンテンツ（ＴＯＣ）を読み取り、ＴＯＣに記述されている識別情報からディスクの種別を判定し、接続されたモニタ装置にディスクの種別を表示する。
【特許文献１】特開平９−４４９８４号公報
【発明の開示】
【発明が解決しようとする課題】
【０００５】
従来のディスク識別方法は、ディスクが再生装置に装填されると、まずディスクに記述されている情報を読み取り、エラー訂正などの処理を行い、データを復調し、情報処理部において、読み取った情報を解析し、この解析結果からディスク種別を判定している。このために、ディスクが装填されてからその種別を判定するまでに時間がかかるという問題がある。
【０００６】
そこでこの発明は、ディスクの種別判定が、従来に比べて格段に早く得られるようにした情報再生装置と再生方法を提供することを目的とする。
【課題を解決するための手段】
【０００７】
上記の目的を達成するためにこの発明の一面では、波長が異なる少なくとも第１と第２のレーザ光源、前記第１又は第２の光源からのレーザ光をディスクに照射する対物レンズを含みかつ前記光ディスクからの反射光をフォトディテクタ回路に導く光学系と、前記対物レンズを光軸方向へ調整してフォーカス制御を行うためのフォーカスアクチュエータを含む光学ヘッド装置と、
前記第１の光源を用いた状態で前記フォトディテクタ回路から出力されるフォーカスエラー信号が所定の閾値を超えたか否かを判定するフォーカスエラー信号閾値判定部と、
前記フォーカスエラー信号が所定の閾値を超えたときに、前記フォトディテクタ回路から出力されるトラッキングエラー信号が所定の閾値を超えたか否かを判定するトラッキングエラー信号閾値判定部と、
前記トラッキングエラー信号が所定の閾値を超えているときは、前記第１の光源に適合するディスクであることの表示情報を出力し、超えていないときは、第２の光源に適合するディスクであることの表示情報を出力する通知処理部と、
を有する。
【発明の効果】
【０００８】
上記の手段によりディスクの種別判定が、従来に比べて格段に早く得られる。
【発明を実施するための最良の形態】
【０００９】
以下、図面を参照しながらこの発明の実施の形態を説明する。図１はこの発明の一実施の形態を示している。光ディスク１００に記録されている情報は、ディスクドライブ部１０１で読み取られる。ディスクドライブ部１０１で読み取られた情報は、データプロセッサ部１０２に供給され、復調・エラー訂正処理された後、データプロセッサ部１０２内のトラックバッファ（図示せず）に格納される。
【００１０】
トラックバッファに格納された情報のうち、管理情報は、メモリ部１２２に格納され、再生制御、データ管理などに利用される。またトラックバッファに格納された情報のうちビデオオブジェクトとしての情報は、分離部１０３に入力され、ここでビデオパック、グラフィックユニットパック、オーディオパック、副映像パック、ナビゲーションパックなどが分離される。
【００１１】
ビデオパックは、ビデオデコーダ部１１１へ、副映像パックは副映像デコーダ部１１２へ、グラフィックパックは、グラフィックデコーダ部１１３へ、オーディオパックはオーディオデコーダ部１１４へ、入力されデコードされる。またナビゲーションパックなどのように制御情報を含むものは、マイクロプロセシングユニット（ＭＰＵ）部１２１に入力される。
【００１２】
ビデオデコーダ部１１１でデコードされた主映像情報と、副映像デコーダ部１１２でデコード処理された副映像情報と、グラフィックデコーダ部１１３でデコード処理されたグラフィック情報とは、ビデオプロセッサ部１０４に供給されて重畳処理された後、Ｄ／Ａ（デジタルアナログ）変換器１２３でアナログ化され、表示装置１４０に供給される。
【００１３】
オーディオデコーダ部１１４でデコード処理された音声情報は、Ｄ／Ａ変換部１１３でアナログ化され音声信号としてスピーカに出力される。
【００１４】
さらにＯＳＤデータメモリ１３５が設けられている。このＯＤＳデータメモリ１３５からの表示データの出力は、ＭＰＵ部１２１により制御されるもので、その表示に関しては後で詳しく説明する。
【００１５】
ＭＰＵ部１２は、各部の動作を統括的に制御する。ＭＰＵ部１２１は、キー入力部１３１からの操作情報を受けて、ＲＯＭ部１２３に格納されたプログラムに基づいて各部を制御する。表示部１３４は、操作状況などを表示する表示部である。
【００１６】
図２には、光学ヘッド装置２０１を含むディスクドライブ部１０１の代表的な構成要素を取り出して示している。光学ヘッド装置２０１は、対物レンズ２０２、ビームスプリッタ２０３を含む光学系を有する。ビームスプリッタ２０３に対しては、レーザ光源２３１，２３２をレーザ駆動部２３０から、選択された光源のレーザビームが入射する。レーザ光源２３１は、ＤＶＤに適合する波長６５０ｎｍのレーザを出力する光源であり、レーザ光源３２２は、ＨＤ  ＤＶＤに適合する波長４０５ｎｍのレーザを出力する光源である。さらに第３のレーザ光源２３３は、ＣＤに適合する波長７８５ｎｍのレーザを出力する光源である。これらの光源選択は、ＭＰＵ部１２１からの指令により行われる。
【００１７】
ビームスプリッタ２０３で反射されたビームは、対物レンズ２０２で集光されて、光ディスク１００の記録面に照射される。光ディスク１００で反射された戻り光は、光学系を介して、フォトディテクタ回路２０６に照射される。フォトディテクタ回路２０６には、例えば光検出部２０７に４分割ダイオードＡ，Ｂ，Ｃ，Ｄが配置されている。ここで、検出された光は、電気信号に変換されて、加算器２１１，２１２，２１３，２１４に入力される。加算器２１１，２１２の出力は、加算器２１５に入力される。加算器２１５の出力は、ＲＦ信号（再生用信号）として出力される。加算器２１１，２１２の出力は、減算器２１６に入力される。この減算器２１６の出力は、フォーカスエラー信号（ＦＥ信号）として用いられる。加算器２１３，２１４の出力は、減算器２１７に入力される。この減算器２１７の出力は、トラッキングエラー信号（ＴＥ信号）として用いられる。２０４、２０５は、フォーカスアクチュエータ、トラッキングアクチュエータを簡略化して示している。
【００１８】
ＭＰＵ部１２は、上記のフォーカスエラー信号、トラッキングエラー信号を利用して、光学ヘッド装置２０１のフォーカスアクチュエータ２０４、トラッキングアクチュエータ２０５を制御する。この制御により、ビームフォーカスが、光ディスクのトラックにフォーカスオンし、またトラッキングオンする。
【００１９】
図３は、フォーカスエラー信号の検出例を示している。上記したように本発明の装置では、波長の異なる複数のレーザ光源をディスクの種類に応じて切り替えて使用する。したがって、装填されたディスクと、使用する光源の関係に応じて、フォーカスエラー信号の出力レベルが異なる。図３は、ディスクと、使用する光源の組み合わせと、得られるフォーカスエラー信号（ＦＥ信号）の例を示している。
【００２０】
第１の光源２３１を使用し、波長６５０ｎｍ、ＮＡ＝０．６５が設定されたときは以下のようになる。ＦＥ信号３０１は、ディスクがＤＶＤであるときの信号である。０のときは、ジャストフォーカスであり、対物レンズが前後移動（ディスクの厚み方向へ移動制御）されると、Ｓ字カーブの特性を持つフォーカスエラー信号が得られる。このとき最大値ＭＡＸは、閾値Ｔｈ１を超える。
【００２１】
ＦＥ信号３０２は、ディスクがＨＤ  ＤＶＤであるときの信号である。０のときは、ジャストフォーカスである。この場合も、Ｓ字カーブの特性の最大値ＭＡＸは、閾値Ｔｈ１を超える。ＦＥ信号３０３は、ディスクがＣＤであるときの信号である。０のときは、ジャストフォーカスである。この場合は、Ｓ字カーブの特性の最大値ＭＡＸが閾値Ｔｈ１を超えることはない。また、ＦＥ信号３０４は、ディスクがブルーレイディスクＢＤであるときの信号である。０のときは、ジャストフォーカスである。この場合も、Ｓ字カーブの特性の最大値ＭＡＸが閾値Ｔｈ１を超えることはない。
【００２２】
次に、第２の光源２３１を使用し、波長４０５ｎｍ、ＮＡ＝０．６５が設定されたときは以下のようになる。ＦＥ信号３１１は、ディスクがＤＶＤであるときの信号である。Ｓ字カーブの特性の最大値ＭＡＸは、閾値Ｔｈ２を超える。ＦＥ信号３１２は、ディスクがＨＤ  ＤＶＤであるときの信号である。この場合も、Ｓ字カーブの特性の最大値ＭＡＸは、閾値Ｔｈ２を超える。ＦＥ信号３１３は、ディスクがＣＤであるときの信号である。Ｓ字カーブの特性の最大値ＭＡＸが閾値Ｔｈ２を超えることはない。また、ＦＥ信号３１４は、ディスクがブルーレイディスクＢＤであるときの信号である。この場合も、Ｓ字カーブの特性の最大値ＭＡＸが閾値Ｔｈ１を超えることはない。
【００２３】
次に、同じく第２の光源２３１を使用し、波長４０５ｎｍとし、ただし、ＮＡ＝０．８５が設定されたときは以下のようになる。
【００２４】
ＦＥ信号３２１は、ディスクがＤＶＤであるときの信号である。Ｓ字カーブの特性の最大値ＭＡＸは、閾値Ｔｈ３を超えることはない。ＦＥ信号３２２は、ディスクがＨＤ  ＤＶＤであるときの信号である。この場合も、Ｓ字カーブの特性の最大値ＭＡＸは、閾値Ｔｈ３を超えることはない。ＦＥ信号３２３は、ディスクがＣＤであるときの信号である。この場合もＳ字カーブの特性の最大値ＭＡＸが閾値Ｔｈ３を超えることはない。また、ＦＥ信号３２４は、ディスクがブルーレイディスクＢＤであるときの信号である。この場合は、Ｓ字カーブの特性の最大値ＭＡＸが閾値Ｔｈ３を大きく超える。
【００２５】
上記したようにＦＥ信号を監視することにより、第１の光源２３１または第２の光源２３２を用い、波長６５０ｎｍ、ＮＡ＝０．６５を設定することで、ＤＶＤ及びＨＤ  ＤＶＤと、他のディスク（ＣＤ，ＢＤ）を識別することが可能である。
【００２６】
ここで、ＤＶＤとＨＤ  ＤＶＤの識別を行うためには、例えばトラッキングエラー信号（ＴＥ信号）が利用される。即ち、ＨＤ  ＤＶＤのトラックピッチは、０．４μｍであり、ＤＶＤのトラックピッチは、０．７４μｍである。したがって、ＨＤ  ＤＶＤが搭載されている状態で、波長６５０ｎｍのビームをトラックに沿ってウォブルすると、トラッキングエラー信号は、ほとんどＤＣレベルであるが、波長４０５ｎｍのビームをトラックに沿ってウォブルすると、トラッキングエラー信号は、図４に示すように変動する。即ちトラックオン（レベル０）の状態からプラスマイナスに変動する。また、ＤＶＤが搭載されている状態で、波長６５０ｎｍのビームをトラックに沿ってウォブルすると、トラッキングエラー信号は、図４に示すように変動するが、波長４０５ｎｍのビームをトラックに沿ってウォブルすると、トラッキングエラー信号は、ほとんどＤＣレベルである。したがって、トラッキングエラー信号が正常に得られるかどうかを判断することにより、ＤＶＤとＨＤ  ＤＶＤの識別を行うことができる。
【００２７】
図５は、上記した設定状態と、ＦＥ信号、ＴＥ信号の性質を踏まえて動作する本発明の装置の動作例を示すフローチャートである。このフローチャートを説明する前に、このフローチャートの処理を実現する、図１のＭＰＵ部１２１の各部機能を説明する。
【００２８】
ＦＥ信号の判定は、ＭＰＵ部１２１のＦＥ信号閾値判定部１２１ａにより行われる。ＴＥ信号の判定は、ＭＰＵ部１２１のＴＥ信号閾値判定部１２１ｂにより行われる。ＭＰＵ部１２１の通知処理部１２１ｃは、判定状況などをＯＳＤデータメモリ１３５に通知する。これに応答して、ＯＳＤデータメモリ１３５からは表示データが出力されビデオプロセッサ１０４を介して、表示装置１４０に画面表示が行われる。初期設定部１２１ｄは、最初にサーチするディスクをＤＶＤ、ＨＤ  ＤＶＤのどちらを優先しえサーチするかを決めるための設定部である。光源切り換え部１２１ｅは、ディスク識別を行ううちに光源を切り替える必要が生じたときに機能する部分である。
【００２９】
図５に戻り説明する。ディスクが装填され、ディスク識別動作が開始される（ステップＳＡ１）と、ＤＶＤが優先であるか、ＨＤ  ＤＶＤが優先であるかの設定状態が確認される。つまり、この装置では、ＤＶＤ，ＨＤ  ＤＶＤのどちらを先行して判断するかを初期設定することができる。ＤＶＤを優先する場合には、光ヘッド装置において、波長６５０ｎｍ、ＮＡ＝０．６５が設定される。逆にＨＤ  ＤＶＤを優先する場合には、光ヘッド装置において、波長４０５ｎｍ、ＮＡ＝０．６５が設定される。この設定は、初期設定部１２１ｄにより設定されている。図６（Ａ）の表示画面は、初期設定を行う場合の設定画面を示している。例えばリモートコントローラを操作し、カーソルにより「ＨＤ  ＤＶＤ優先」あるいは「ＤＶＤ優先」のいずれかを選択して決定ボタンを押すことで、優先順位を設定することができる。
【００３０】
図５のステップＳＡ２の判定は、ＤＶＤ優先が設定されている様子を示している（ステップＳＡ３）。この設定理由は、以下の通りである。即ち、ユーザが所有する多くのディスクの中から、ディスクの種類を判断する場合、ＤＶＤを多く所有するユーザの場合は、ＤＶＤ優先に設定するほうが、ディスク識別が早く行われることになる。ＤＶＤ優先でなく、ＨＤ  ＤＶＤ優先に設定されていた場合には、光ヘッド装置において、波長４０５ｎｍ、ＮＡ＝０．６５が設定される（ステップＳＡ４）。
【００３１】
次に、先に説明したようにフォーカスサーチが開始される（ステップＳＡ５）。そしてＦＥ信号が閾値Ｔｈ１を超えているかどうかの判定が行われる（ステップＳＡ６）。ＦＥ信号閾値判定部１２１ａの判定の結果、閾値Ｔｈ１を超えていた場合、次にＴＥ信号が利用される。そして，ＴＥ信号閾値判定部１２１ｂの判定結果、ＴＥ信号が設定したディスクに対応する如く得られた場合、ディスクの種別を判定する。例えば、つまり上記の実施形態では、ＴＥ信号が図４で示したように得られた場合には、「ディスクはＤＶＤ」と判定し（ステップＳＡ７、ＳＡ８）、画面表示を通知する。この通知は、図１に示した通知処理部１２１ｃにより、ＯＳＤデータメモリ１３５に通知される。表示画面は、図６（Ｂ）のようになる。逆にＴＥ信号が図４で示したように得られなかった場合（ほとんど低いノイズレベル）は、「ディスクはＨＤ  ＤＶＤ」と判定し（ステップＳＡ７、ＳＡ９）、画面表示を通知する。表示画面は、図６（Ｃ）のようになる。
【００３２】
ステップＳＡ６において、ＦＥ信号が閾値を超えなかった場合、現在装填されているディスクは、ＣＤ、あるいはＢＤの可能性がある。そこで、今度は、ＣＤ判定処理に移行し（ステップＳＡ１０）、第３の光源２３３の使用状態に切り替える。切り換えは、光源切り換え部１２１ｅが実行する。波長７８５ｎｍ、ＮＡ＝０．４５が設定される。次にフォーカスサーチが開始され、ＦＥ信号が閾値Ｔｈ２を超えたかどうかを判定される（ステップＳＡ１２，ＳＡ１３）。
【００３３】
ＦＥ信号が閾値Ｔｈ２を超えた場合は、その判定結果が、通知処理部１２１ｃにより、ＯＳＤデータメモリ１３５に通知され、「ディスクはＣＤです」との表示画面（図６（Ｄ））が得られる。ステップＳＡ１３において、ＦＥ信号が閾値Ｔｈ２を超えなかった場合は、ＢＤ判定が開始され（ステップＳＡ１５）、第２の光源２３２に設定される。ただしこの場合はＮＡ＝０．８５に設定される（ステップＳＡ１６）。
【００３４】
次にフォーカスサーチが開始され（ステップＳＡ１７）、ＦＥ信号がＴｈ３を超えたかどうかの判定が行われる（ステップＳＡ１８）。
【００３５】
ＦＥ信号が閾値Ｔｈ３を超えた場合は、その判定結果が、通知処理部１２１ｃにより、ＯＳＤデータメモリ１３５に通知され、「ディスクはＢＤです」との表示画面（図６（Ｅ））が得られる。ステップＳＡ１３において、ＦＥ信号が閾値Ｔｈ３を超えなかった場合は、ディスクが判別できないもしくはディスクが装填されていないことであり、警告画面が得られる（図６（Ｆ））。
【００３６】
上記の説明では、装填されたディスクの種別を、表示装置１４０で表示した。しかしこれに限らず、音声で出力しても良いし、装置本体の表示部１３４で表示してもよい。
【００３７】
図７には、この発明が適用された情報再生装置５００の前面図を示している。５０１は電源オンオフボタン、５０２は、表示窓であり、さきの表示部１３４に対応する。５０３は、リモコン受信部であり、５０５は扉開閉ボタンである。５０６は再生操作ボタン、５０７は停止操作ボタン、５０８はポーズ操作ボタン、５０９はスキップ操作ボタンである。また５１０は、ディスクトレイであり、扉開閉ボタン５０５を操作すると、ディスクトレイが突出あるいは後退して、ディスクの交換などを行うことができる。
【００３８】
表示窓５０２では、セグメント表示部５３１が設けられており、ディスクの総再生時間、経過時間、残量、タイトルなどを表示することができる。また、状態表示部５３２では、再生中か、停止中か、ポーズ中かを表示することができる。さらにディスク識別表示部５３３が設けられ、ここに装填されているディスクが何であるか（ＤＶＤ、ＨＤ  ＤＶＤなど）を表示することができる。またタイトル表示部５３４が設けられ、ここには、タイトル番号を表示することができる。また５３５では、現在出力されている映像がどのような解像度であるかを表示することができる。上記のように、この装置では、ディスク識別表示部５３３を見ることにより、装填されたディスクが何であるかを容易に判別できる。
【００３９】
本発明の装置は、片面１層ＤＶＤ、片面１層ＨＤ  ＤＶＤ，片面２層ＤＶＤ，片面２層ＤＶＤ，ＨＤ  ＤＶＤ、両面ＤＶＤ，両面ＨＤ  ＤＶＤ、一方面ＤＶＤ，他方面ＨＤ  ＤＶＤのディスクなどに対して対応可能である。
【００４０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４１】
【図１】この発明が適用された情報再生装置のブロック構成を示す図である。
【図２】図１のディスクドライブ部１０１の基本構成を示す説明図である。
【図３】各種光源と各種ディスクとフォーカスエラー信号の関係を示す説明図である。
【図４】フォーカスエラー信号の出力例を示す説明図である。
【図５】この発明の装置の動作例を示すフローチャートである。
【図６】この発明の装置により表示された画面の例を示す説明図である。
【図７】この発明の装置により表示される表示部の例を示す説明図である。
【符号の説明】
【００４２】
１００…光ディスク、１０１…ディスクドライブ部、１０２…データプロセッサ部、１０３…分離部、１０４…ビデオプロセッサ部、１１１…ビデオデコーダ部、１１２…副映像デコーダ部、１１３…グラフィックデコーダ部、１１４…オーディオデコーダ部、１２１…ＭＰＵ部、１２２…メモリ部、１２３…ＲＯＭ，１３１…キー入力部、１３２、１３３…Ｄ／Ａ変換部、１３４…表示部。
【図１】
2007172681.tif 000003
【図２】
2007172681.tif 000004
【図３】
2007172681.tif 000005
【図４】
2007172681.tif 000006
【図５】
2007172681.tif 000007
【図６】
2007172681.tif 000008
【図７】
2007172681.tif 000009